(57)【要約】【課題】  外国語の発音を正確に且つアクセントの位置を明確に表示でき、外国語の発音を正確にカタカナ表記できる外国語のカタカナ発音表記方法を提供する。【解決手段】  外国語のカタカナ表記をするプログラムのソフトは、万国音標文字の各子音・母音に対して１つ又は複数のカタカナを対応づけて記憶する第１ルーチン１と、外国語の発音の万国音標文字列を入力するとその文字列を子音と母音とに分解し第１ルーチンで記憶させたカタカナを割り付けて標準の発音表記のカタカナ列の表記を作成する第２ルーチン２と、標準のカタカナ列表記のアクセントのある母音のカタカナ表記を太文字に修正する第３ルーチン３と、その前の子音又は母音のカタカナ表記を小文字又は普通の大きさの表記に修正する第４ルーチン４と、第３，４ルーチンで修正された標準のカタカナ列表記をもって外国語の発音のカタカナ発音表記として出力する第５ルーチン５とからなる。【選択図】図３
2008009507.tif 000002
【特許請求の範囲】
【請求項１】
予め、万国音標文字の子音・母音それぞれに対して標準の発音表記として１つ又は複数のカタカナを対応させておき、外国語の発音を万国音標文字列で記述するとともにアクセント記号をアクセントのある万国音標文字の上に付し、同万国音標文字列を子音と母音とに分けて各子音母音に前記の標準の発音表記の対応カタカナを割り付けてカタカナ列を形成し、その後その外国語の万国音標文字列中の母音にアクセントがあるか否か判定し、アクセントがあれば、同母音の対応カタカナの文字を大文字又は太文字の強調文字で前記カタカナ列の表記を修正し、更にアクセントがある母音の前の子音又は母音の対応カタカナを前記母音の強調文字に比べて小さな又は細い文字で表記するように前記カタカナ列の表記の修正し、同修正されたカタカナ列をその外国語のカタカナ発音表記とすることで、外国語のアクセントのある単語を正確に発音できるようにしたことを特徴とする、外国語の発音のカタカナ表記方法。
【請求項２】
下記の第１〜第５ルーチンを含んだ外国語の発音のコンピュータのカタカナ発音表記自動作成ソフト。
（１）万国音標文字の各子音・母音に対して１つ又は複数のカタカナを対応づけて記憶する第１ルーチン
（２）入力された外国語の発音のアクセント付万国音標文字列を子音と母音に分解し、同子音・母音に第１ルーチンで対応づけたカタカナを割り付けて標準の発音表記のカタカナ列の表記を作成する第２ルーチン
（３）第２ルーチンの後でその外国語の万国音標文字列中にアクセントのある母音があるか否か判定し、アクセントがあればその母音のカタカナの表記を大文字又は太文字の強調文字に修正し、アクセントがなければ修正せずに表記出力の第５ルーチンへ移行する第３ルーチン
（４）第３ルーチンでアクセントがあるとされた場合で、アクセントの母音の前の子音又は母音の対応カタカナのカタカナ表記を第３ルーチンの強調文字に比べて小さな又は細い文字で表記するようにカタカナ列を更に修正する第４ルーチン
（５）第３ルーチンで修正されない場合は標準の発音表記のカタカナ列を外国語の発音のカタカナ発音表記とし、第３，４ルーチンで修正されれば修正されたカタカナ列の表記を外国語の発音のカタカナ発音表記として記憶し、同カタカナ発音表記を視覚できるように印刷又はディスプレイあるいは外部に表示するように出力する第５ルーチン
【発明の詳細な説明】
【技術分野】
【０００１】
本発明は、英語・フランス語・ドイツ語・中国語・韓国語・アラビア語等の外国語のアクセントのある発音を、正確な発音となるようにカタカナ表記する発音表記技術に関する。
【背景技術】
【０００２】
従来、日本における外国語の発音の表記は、一般にカタカナで表示されているが、発音をカタカナで表示する手順は、外国語の発音をまず万国音標方式の発音標記文字（万国音標文字）列で記述し、同発音標記文字列の音標文字を子音と母音とに分けるとともに子音と母音とが続く場合はその子音と母音の組の発音をヘボン式のように一つのカタカナ（清音・濁音・半濁音）又は一つのカタカナと小文字のカタカナ・長音記号との組み合せでもってカタカナ発音表記とし、万国音標文字列の残りの子音・母音には、単独の子音・母音に対して対応させた標準の発音表記のカタカナを割り付けて万国音標文字列をカタカナ発音表記とするものである。
【０００３】
この従来のカタカナ発音表記方法では「Ａｍｅｒｉｃａｎ」，「Ａｎｉｍａｌ」，「Ｓａｎｄｗｉｃｈ」は、「アメリカン」，「アニマル」，「サンドイッチ」となり、このカタカナ表記が広く使用されている。
しかしながら、このカタカナ表記の通りの日本語の発音では、本来の英語の発音とはかなり違い、又アクセントの位置も不明なため、不正確な発音となってしまっていた。これが日本人の英語上達しない一因となっていた。
【非特許文献１】エッセンシャル和英辞典例言の頁旺文社昭和３７年発行
【発明の開示】
【発明が解決しようとする課題】
【０００４】
本発明が解決しようとする課題は、従来の外国語のカタカナ発音表記方法のこれらの問題点を解消し、正確な発音とアクセント位置を明記できる外国語のカタカナ発音表記方法を提供する。
【課題を解決するための手段】
【０００５】
かかる課題を解決した本発明の構成は、
１）  予め、万国音標文字の子音・母音それぞれに対して標準の発音表記として１つ又は複数のカタカナを対応させておき、外国語の発音を万国音標文字列で記述するとともにアクセント記号をアクセントのある万国音標文字の上に付し、同万国音標文字列を子音と母音とに分けて各子音母音に前記の標準の発音表記の対応カタカナを割り付けてカタカナ列を形成し、その後その外国語の万国音標文字列中の母音にアクセントがあるか否か判定し、アクセントがあれば、同母音の対応カタカナの文字を大文字又は太文字の強調文字で前記カタカナ列の表記を修正し、更にアクセントがある母音の前の子音又は母音の対応カタカナを前記母音の強調文字に比べて小さな又は細い文字で表記するように前記カタカナ列の表記の修正し、同修正されたカタカナ列をその外国語のカタカナ発音表記とすることで、外国語のアクセントのある単語を正確に発音できるようにしたことを特徴とする、外国語の発音のカタカナ表記方法
２）  下記の第１〜第５ルーチンを含んだ外国語の発音のコンピュータのカタカナ発音表記自動作成ソフト
（１）万国音標文字の各子音・母音に対して１つ又は複数のカタカナを対応づけて記憶する第１ルーチン
（２）入力された外国語の発音のアクセント付万国音標文字列を子音と母音に分解し、同子音・母音に第１ルーチンで対応づけたカタカナを割り付けて標準の発音表記のカタカナ列の表記を作成する第２ルーチン
（３）第２ルーチンの後でその外国語の万国音標文字列中にアクセントのある母音があるか否か判定し、アクセントがあればその母音のカタカナの表記を大文字又は太文字の強調文字に修正し、アクセントがなければ修正せずに表記出力の第５ルーチンへ移行する第３ルーチン
（４）第３ルーチンでアクセントがあるとされた場合で、アクセントの母音の前の子音又は母音の対応カタカナのカタカナ表記を第３ルーチンの強調文字に比べて小さな又は細い文字で表記するようにカタカナ列を更に修正する第４ルーチン
（５）第３ルーチンで修正されない場合は標準の発音表記のカタカナ列を外国語の発音のカタカナ発音表記とし、第３，４ルーチンで修正されれば修正されたカタカナ列の表記を外国語の発音のカタカナ発音表記として記憶し、同カタカナ発音表記を視覚できるように印刷又はディスプレイあるいは外部に表示するように出力する第５ルーチン
にある。
【発明の効果】
【０００６】
本発明の外国語のカタカナ発音表記方法では、アクセントの位置が強調文字で明確になるとともに、前後の子音・母音の発音と強弱がカタカナ表記の通り日本語発音しても正確になって、外国語の正しい発音とアクセントとすることができる。
【発明を実施するための最良の形態】
【０００７】
本発明は、本発明の手順をもって人の作業でカタカナ発音表記を作成してもよいし、コンピュータのソフトを用いて外国語の発音を万国音標文字でもって記述したものを入力し、子音・母音の分解と、アクセントのサーチと記憶させた対応カタカナ表記を用いてカタカナ発音文字列を修正して作成してもよい。
標準のカタカナとは、その万国音標文字の発音として統計的に最も多く使われている一つ又は複数のカタカナのことである。
万国音標文字に複数の標準のカタカナを対応させた子音のカタカナ表記の選択は、後の母音によってヘボン式に近い発音のものを一般的に選択する。これは、コンピュータソフトで後の母音で選択を決定しておくことができる。標準のカタカナ表記では、母音に対しては小文字のカタカナを優先的に選択する。但しカタカナ文字列の頭となる場合はその母音は普通の大きさのカタカナ表記とする。
【実施例１】
【０００８】
本実施例は、コンピュータのソフトをもって本発明の外国語のカタカナ発音表記を表記出力させるシステムの例である。本ソフトは第１〜第５のルーチン及びサブルーチン１０からなっている。
【０００９】
図１は、本実施例の処理フローを示す説明図である。
図２は、本実施例の処理フローを示す説明図である。
図３は、実施例の英語の発音のカタカナ表示の説明図である。
図４は、実施例の英語の発音のカタカナ表示の説明図である。
図５は、実施例の英語の発音のカタカナ表示の説明図である。
図６は、実施例の英語の発音のカタカナ表示の説明図である。
図７は、実施例の英語の発音のカタカナ表示の説明図である。
図中、１は第１ルーチン，２は第２ルーチン，３は第３ルーチン，４は第４ルーチン，５は第５ルーチン，１０はサブルーチン
【００１０】
第１ルーチン：
この実施例では、まず、万国音標文字の各子音・母音に対して、発音の（標準の）一つ又は複数のカタカナを対応させる。その万国音標文字の各子音・母音と発音のカタカナの対応例を下記表１に示す。この対応の表又はデータベースＤＢをコンピュータのメモリ等の記憶媒体に記憶させる。対応カタカナの表記は通常の字体の大きさのカタカナか、又はその小文字で表示する。１つの子音・母音に複数の対応カタカナがあることもある。表１，２に万国音標文字の対応カタカナ例を示す。
【００１１】
【表１】
2008009507.tif 000003
【表２】
2008009507.tif 000004
【００１２】
第２ルーチン：
次に、外国語の発音を万国音標文字列で表記する。この作業は、人間が外国語の発音を聴いて適切な万国音標文字で表現してこれをコンピュータに入力する。予め外国語の単語の発音を万国音標文字列で表記した辞書を作成したものがあればこの辞書を用いて入力してもよい。又外国語の発音にアクセントがあれば、そのアクセントのある万国音標文字の母音の上にアクセント表記も入力する。
第２ルーチンで入力された万国音標文字列を子音・母音とに分解し、各子音・母音に第１ルーチンで記憶媒体に記憶させた表１のデータベースから対応するカタカナを割り付けて万国音標文字列から標準のカタカナ列を作成する。子音又は母音に複数のカタカナがある場合は、サブルーチン１０を呼び出してその子音の次の母音との関係で又はその母音の前が子音であるか否かの関係であるいは外国語の単語の注釈テーブルによって複数の中から最適な対応カタカナを一つ選択して割り付ける。サブルーチン１０では、子音に複数の対応カタカナがある場合は、その後が母音であればヘボン式の発音に近い対応カタカナを割り付けることが多い。又、その母音の前が子音の場合は小文字の方の母音発音の対応カタカナを選択することが多い。母音の場合は、一般に万国音標文字列の先頭の母音の場合は普通の大きさのカタカナ表記が選択され、先頭以外の場合は優先的に小文字の方を選択する。
【００１３】
第３ルーチン：
第２ルーチンで万国音標文字列を標準の対応カタカナでカタカナ列変換した後、万国音標文字列中にアクセントがあるか、入力された万国音標文字列情報からアクセント記号の有無を調べてアクセントの有無の判定を行う。アクセントは通常母音上に存在するので、アクセントがあればアクセントのある万国音標文字の母音の対応カタカナは、大文字又は太文字の強調文字でそのカタカナ表記を修正する。
【００１４】
第４ルーチン：
次に万国音標文字列にアクセントがある場合そのアクセントの母音の前に子音・母音があれば、その子音・母音の標準のカタカナ列中の対応カタカナ表記を強調文字に比べて小さな字体（通常の字体の大きさ又は小文字）あるいは細い字体で表記を修正する。
【００１５】
第５ルーチン：
第３，第４ルーチンで修正されない場合は万国音標文字列の標準の対応のカタカナ列の表記を、第４，第５ルーチンで一部修正された場合はその修正されたカタカナ列表記をその外国語の発音の発音カタカナ表記として記憶し、印刷又はディスプレイに表示する等で出力する。
【００１６】
以上の実施例の発音表記の処理フローを図１，２に示す。図３，４は「Ａｍｅｒｉｃａｎ」，「Ａｎｉｍａｌ」，「Ｓａｎｄｗｉｃｈ」の英語の発音を上記ルーチンに沿って具体的に各ルーチンの結果を示す。
図中、（ａ）は外国語の表記、（ｂ）が万国音標文字列とアクセント表示であり、（ｃ）は対応カタカナの選択、（ｄ）が標準のカタカナ列表記であり、（ｅ）はアクセントのある母音のカタカナ表記修正、（ｆ）はアクセント母音の前子音のカタカナ表記修正、（ｇ）は最終的な外国語の発音のカタカナ発音表記である。アクセントのある母音は大きい太文字の強調文字としている。そしてアクセントの母音の前の子音は小文字としている。
【００１７】
図５，図６も図３，４と同様にして作成した、「Ｍｏｒｎｉｎｇ」，「Ｐｉａｎｏ」，「Ｐｒｏｇｒａｍ」，「Ｎｏｔｅｂｏｏｋ」，「Ｍｅｍｂｅｒ」，「Ｓｕｎｄａｙ」，「Ｂａｓｅｂａｌｌ」，「Ｔａｂｌｅ」の英単語のカタカナ発音表記説明図である。
【００１８】
以上の様に、本実施例では、アクセントの位置が強調文字で表記されているのでカタカナ表記でありながらアクセントすべき発音が正確にでき、又発音もヘボン式の従来のカタカナ表記より正確な発音とすることができた。
【産業上の利用可能性】
【００１９】
本発明は、外国語の発音辞典作成及びコンピュータによるカタカナ発音表記に有用であり、英語・米語・ドイツ語・フランス語・中国語・韓国語・インド語等の外国語発音表記にも容易にできる。動物の声・音も、その声音を万国音標文字にできれば、正確なカタカナ表記ができる。
【図面の簡単な説明】
【００２０】
【図１】本実施例の処理フローを示す説明図である。
【図２】本実施例の処理フローを示す説明図である。
【図３】実施例の英語の発音のカタカナ表示の説明図である。
【図４】実施例の英語の発音のカタカナ表示の説明図である。
【図５】実施例の英語の発音のカタカナ表示の説明図である。
【図６】実施例の英語の発音のカタカナ表示の説明図である。
【図７】実施例の英語の発音のカタカナ表示の説明図である。
【符号の説明】
【００２１】
１  第１ルーチン
２  第２ルーチン
３  第３ルーチン
４  第４ルーチン
５  第５ルーチン
１０  サブルーチン
【図１】
2008009507.tif 000005
【図２】
2008009507.tif 000006
【図３】
2008009507.tif 000007
【図４】
2008009507.tif 000008
【図５】
2008009507.tif 000009
【図６】
2008009507.tif 000010
【図７】
2008009507.tif 000011